(57)【要約】【課題】個々のユーザーの嗜好を反映して、画像形成装置の動作音を調節する。【解決手段】画像形成装置１０は、印刷ジョブが実行される度に、通常モード及び静音モードのいずれが設定されたかを、該印刷ジョブの実行を指示したユーザーに対応付けられた履歴情報として記憶する記憶部２８と、新たな印刷ジョブの実行に際し、該新たな印刷ジョブの実行を指示したユーザーに対応付けられた履歴情報を記憶部２８から読み出して、該履歴情報に基づき通常モード又は静音モードを設定する制御部３１と、を備える。【選択図】図２
2020034865.tif 000002
【特許請求の範囲】
【請求項１】
記録紙に画像を形成する画像形成部と、
通常モード、及び該通常モードよりも動作速度を低下させることで動作音を通常モードよりも小さくする静音モードのいずれで前記画像形成部が画像形成を行うかを示すモード設定指示が入力される指示入力部と、
前記指示入力部に入力された印刷ジョブの実行指示及び前記モード設定指示に従って、前記通常モード又は前記静音モードのいずれかを設定して前記画像形成部を制御して印刷ジョブを実行する制御部と、
記憶部とを備え、
前記制御部は、
ユーザーにより前記指示入力部に入力された前記印刷ジョブの実行指示に従って印刷ジョブを実行する度に、前記通常モード及び前記静音モードのいずれが設定されたかを、当該印刷ジョブの実行を指示したユーザーに対応付けて履歴情報として前記記憶部に記憶させ、
ユーザーにより、前記モード設定指示が入力されることなく、印刷ジョブの実行指示が前記指示入力部に入力されたときは、当該ユーザーに対応付けられた前記履歴情報を前記記憶部から読み出し、当該読み出した履歴情報に基づいて前記通常モード又は前記静音モードを設定して、前記画像形成部を制御して印刷ジョブを実行する画像形成装置。
【請求項２】
前記制御部は、前記履歴情報が示す過去の設定回数に基づいて、前記通常モード又は前記静音モードのうち、当該設定回数が多い方のモードに設定する請求項１に記載の画像形成装置。
【請求項３】
前記制御部は、
前記指示入力部に入力された前記モード設定指示に従って前記通常モード又は前記静音モードを設定して印刷ジョブを実行した場合には、前記通常モード又は前記静音モードの重み付けを予め定められた第１の値とし、
前記指示入力部に入力された前記モード設定指示によらずに前記通常モード又は前記静音モードを設定して印刷ジョブを実行した場合には、前記通常モード又は前記静音モードの重み付けを上記第１の値よりも小さな予め定められた第２の値として、
前記通常モード及び前記静音モードのいずれが設定されたかを前記重み付けと共に、前記履歴情報として前記記憶部に記憶させ、
前記制御部は、ユーザーにより、前記モード設定指示が入力されることなく、印刷ジョブの実行指示が前記指示入力部に入力されたときは、当該ユーザーに対応付けられた前記履歴情報を前記記憶部から読み出し、前記履歴情報が示す前記重み付けが示す値を合計し、前記通常モード又は前記静音モードのうち、当該重み付けの合計値が大きい方のモードに設定する請求項１に記載の画像形成装置。
【請求項４】
前記制御部は、前記モード設定指示が入力されることなく新たな印刷ジョブの実行指示が前記指示入力部に入力されたとき、当該新たな印刷ジョブを含めてこの時点で前記指示入力部に入力されている全ての印刷ジョブに従って前記画像形成部により画像が形成される記録紙の枚数が予め設定された一定枚数を超えるか否かを判定し、当該枚数が前記一定枚数を超える場合に、前記履歴情報に基づく前記通常モード又は前記静音モードの設定に拘わらず、前記通常モードを設定して、前記全ての印刷ジョブを実行する請求項１乃至請求項３のいずれかに記載の画像形成装置。
【請求項５】
前記画像形成装置から予め定められた範囲内に居る人を検出する人感センサーを更に備え、
前記制御部は、前記モード設定指示が入力されることなく新たな印刷ジョブの実行指示が前記指示入力部に入力されたとき、当該新たな印刷ジョブを含めてこの時点で前記指示入力部に入力されている全ての印刷ジョブに従って前記画像形成部により画像が形成される記録紙の枚数が予め設定された一定枚数を超えるか否かを判定し、当該枚数が前記一定枚数を超える場合であって、かつ、前記人感センサーにより前記人が検出されている場合に、前記履歴情報に基づく前記通常モード又は前記静音モードの設定に拘わらず、前記通常モードを設定して、前記全ての印刷ジョブを実行する請求項１に記載の画像形成装置。
【発明の詳細な説明】
【技術分野】
【０００１】
本発明は、画像形成装置に関し、特に、通常モード及び該通常モードよりも動作速度を低下させることで動作音を通常モードよりも小さくする静音モードのいずれかを設定して印刷ジョブを実行する技術に関する。
【背景技術】
【０００２】
近年、事務機器への静音化の要求が高まってきており、複写機、プリンター、複合機などの画像形成装置もその例外ではない。このため、例えば特許文献１では、人体検知センサーによって画像形成装置の周辺に人がいるか否かを検知し、人が検知された場合は、該装置のモータの回転速度が高速となる標準モードを選択し、また人が検知されなかった場合は、該装置のモータの回転速度が低速となる静音モードを選択している。
【０００３】
また、特許文献２では、集音器コントローラによって環境騒音のレベルを計測し、人感センサコントローラによって人の位置、体温、動作速度などの活動度合いを判定している。そして、ＣＰＵは、プリントシステムの位置及び人感センサコントローラにより判定された人の位置に基づき、プリントシステムから人までの距離を算出すると共に、プリントジョブを標準モードで実行したときにプリントシステムから発生する稼働音のレベルを予測し、環境騒音のレベル、活動度合い、距離、及び稼働音のレベルに基づきプリントシステムの動作モードを選択している。
【先行技術文献】
【特許文献】
【０００４】
【特許文献１】特開２００７−０５７６０６号公報
【特許文献２】特開２０１４−１４２４９８号公報
【発明の概要】
【発明が解決しようとする課題】
【０００５】
ここで、特許文献１及び特許文献２に記載の技術では、人の検知、あるいは人の活動度合いや人との距離に応じて、画像形成装置（又はプリントシステム）の動作音を調節している。
【０００６】
しかしながら、個々のユーザーの嗜好を反映して、画像形成装置の動作音を調節してはいない。つまり、ユーザーによっては、画像形成装置の処理速度が遅くなっても良いからその動作音を小さく抑えたいという要望があったり、また動作音が大きくなっても構わないから処理速度を速くしたいという要望があるが、特許文献１及び特許文献２に記載の技術では、これらの要望に応じることができなかった。
【０００７】
本発明は、上記の事情に鑑みなされたものであり、個々のユーザーの嗜好を反映して、画像形成装置の動作音を調節可能にすることを目的とする。
【課題を解決するための手段】
【０００８】
本発明の一局面に係る画像形成装置は、記録紙に画像を形成する画像形成部と、通常モード、及び該通常モードよりも動作速度を低下させることで動作音を通常モードよりも小さくする静音モードのいずれで前記画像形成部が画像形成を行うかを示すモード設定指示が入力される指示入力部と、前記指示入力部に入力された印刷ジョブの実行指示及び前記モード設定指示に従って、前記通常モード又は前記静音モードのいずれかを設定して前記画像形成部を制御して印刷ジョブを実行する制御部と、記憶部とを備え、前記制御部は、ユーザーにより前記指示入力部に入力された前記印刷ジョブの実行指示に従って印刷ジョブを実行する度に、前記通常モード及び前記静音モードのいずれが設定されたかを、当該印刷ジョブの実行を指示したユーザーに対応付けて履歴情報として前記記憶部に記憶させ、ユーザーにより、前記モード設定指示が入力されることなく、印刷ジョブの実行指示が前記指示入力部に入力されたときは、当該ユーザーに対応付けられた前記履歴情報を前記記憶部から読み出し、当該読み出した履歴情報に基づいて前記通常モード又は前記静音モードを設定して、前記画像形成部を制御して印刷ジョブを実行するものである。
【発明の効果】
【０００９】
本発明によれば、個々のユーザーの嗜好を反映して、画像形成装置の動作音を調節できる。
【図面の簡単な説明】
【００１０】
【図１】本発明の一実施形態にかかる画像形成装置を示す断面図である。
【図２】本実施形態の画像形成装置の主要内部構成を示すブロック図である。
【図３】印刷ジョブの実行に際し、通常モード及び静音モードのいずれかを設定するための処理手順を示すフローチャートである。
【図４】印刷ジョブの実行の度に、通常モード及び静音モードのいずれが設定されたかを記憶した履歴情報を概念的に示す図である。
【発明を実施するための形態】
【００１１】
以下、本発明の実施形態について図面を参照して説明する。
【００１２】
図１は、本発明にかかる一実施形態の画像形成装置を示す断面図である。本実施形態の画像形成装置１０は、例えば、コピー機能、プリンター機能、スキャナー機能のような複数の機能を兼ね備えたＭＦＰ（複合機）である。この画像形成装置１０は、画像読取部１１と、画像形成部１２とを備えている。
【００１３】
画像読取部１１は、原稿の画像を光学的に読み取る撮像素子を有しており、この撮像素子のアナログ出力がデジタル信号に変換されて、原稿の画像を示す画像データが生成される。
【００１４】
画像形成部１２は、上記画像データ又は外部から受信した画像データによって示される画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を、中間転写ベルト５に１次転写する。これにより、カラーのトナー像が中間転写ベルト５上に形成される。このカラーのトナー像は、中間転写ベルト５と２次転写ローラー６の間のニップ域ＮＰにおいて給紙部１４から搬送路８を通じて搬送されてきた記録紙Ｐに２次転写される。
【００１５】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１６】
次に、画像形成装置１０の制御に係る構成について説明する。図２は、画像形成装置１０の主要内部構成を示す機能ブロック図である。図２に示すように画像形成装置１０は、制御ユニット２１、表示部２２、通信部２３、操作部２４、タッチパネル２５、人感センサー２６、記憶部２８、画像読取部１１、及び画像形成部１２などを備えている。これらの構成要素は、互いにバスを通じてデータ又は信号の送受信が可能とされている。
【００１７】
表示部２２は、液晶ディスプレイ（ＬＣＤ：Liquid Crystal Display）や有機ＥＬ（ＯＬＥＤ：Organic Light-Emitting Diode）ディスプレイなどから構成される。
【００１８】
通信部２３は、通信モジュールを備える通信インターフェイスであり、ネットワークＮＷを通じてパーソナルコンピューター（ＰＣ）４０との間でデータ通信を行う。
【００１９】
操作部２４は、テンキー、決定キー、スタートキーなどのハードキーを備えている。
【００２０】
表示部２２の画面には、タッチパネル２５が重ねられている。タッチパネル２５は、所謂抵抗膜方式や静電容量方式などのタッチパネルであって、タッチパネル２５に対するユーザーの指などの接触（タッチ）をその接触位置と共に検知し、表示部２２の画面上のＧＵＩなどに対するユーザーの指示を入力する。従って、タッチパネル２５は、表示部２２の画面に対するユーザー操作が入力される指示入力部としての役割を果たす。また、操作部２４も指示入力部としての役割を果たす。
【００２１】
記憶部２８は、ＲＡＭ、大容量のＨＤＤ（Hard Disk Drive）などからなり、各種のデータやプログラムを記憶している。
【００２２】
人感センサー２６は、画像形成装置１０の周辺に居る人を検出する既知のセンサーである。例えば、人感センサー２６は、人体から発せられる赤外線を検出する赤外線センサーである。
【００２３】
制御ユニット２１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット２１は、上記のＲＯＭまたは記憶部２８に記憶されている制御プログラムが上記のプロセッサーで実行されることにより、制御部３１として機能する。なお、制御ユニット２１の上記制御部３１は、制御プログラムに基づく動作によらず、それぞれハード回路により構成されてもよい。
【００２４】
制御部３１は、種々の処理を実行する処理部としての役割を果たす。また、制御部３１は、表示部２２を制御して、各種の設定画面や情報などを表示させる。更に、制御部３１は、通信部２３の通信動作を制御する。
【００２５】
ここで、ＰＣ４０は、ＰＣ４０の全体的な動作制御を司るＣＰＵ等を備える制御部４０１と、ユーザーから印刷ジョブの実行指示及び当該印刷ジョブを通常モード又は静音モードのいずれで実行するかのモード設定指示がユーザーから入力されるキーボード等を備える入力部４０２と、入力部４０２に入力された印刷ジョブの実行指示及びモード設定指示を画像形成装置１０に対して例えばネットワークを通じて送信する通信インターフェイス等からなる送信部４０３とを備えている。ＰＣ４０のユーザーが、入力部４０２に印刷ジョブの実行指示及びモード設定指示を入力すると、送信部４０３が、当該印刷ジョブをモード設定指示と共に画像形成装置１０に送信する。
【００２６】
画像形成装置１０では、ＰＣ４０からの印刷ジョブの実行指示及びモード設定指示を通信部２３で受信すると、制御部３１は、モード設定指示が示す通常モード又は静音モードで該印刷ジョブを実行して、画像形成部１２により画像を記録紙に記録させる。従って、通信部２３も、指示入力部としての役割を果たす。
【００２７】
ここで、通常モードとは、制御部３１による制御で、画像形成部１２等の機構を予め定められた通常の動作速度で動作させて画像形成動作を行わせるモードである。静音モードとは、当該通常モードよりも画像形成部１２等の機構の動作速度を低下させることで動作音を通常モードよりも小さくしたモードである。すなわち、通常モードでは、画像を記録紙に形成するための処理速度が比較的速く、画像形成装置１０から発生される動作音が比較的大きい。また、静音モードでは、その処理速度が通常モードよりも遅く、動作音が通常モードよりも小さい。
【００２８】
また、制御部３１は、印刷ジョブを実行する度に、通常モード及び静音モードのいずれが設定されたかを、当該印刷ジョブの実行を指示したユーザー毎にそれぞれ対応付けて履歴情報として記憶部２８に記憶させる。
【００２９】
そして、制御部３１は、ユーザーにより上記の指示入力部にモード設定指示が入力されることなく、印刷ジョブの実行指示が上記指示入力部に入力されたとき、当該ユーザーに対応付けられた履歴情報を記憶部２８から読み出して、当該読み出した履歴情報に基づき、通常モード又は静音モードを設定して、当該印刷ジョブを実行する。
【００３０】
次に、印刷ジョブの実行に際し、通常モード及び静音モードのいずれかを設定するための処理手順を図３に示すフローチャートなどを参照して説明する。
【００３１】
制御部３１は、印刷ジョブの実行指示の入力を待機している（Ｓ１０１「Ｎｏ」）。この印刷ジョブの実行指示は、例えばユーザーがＰＣ４０の入力部４０２を操作することで入力されて、送信部４０３により該ユーザーの識別情報ＩＤと共にＰＣ４０からネットワークＮＷを通じて画像形成装置１０に送信される。
【００３２】
画像形成装置１０では、印刷ジョブの実行及びユーザーの識別情報ＩＤを通信部２３で受信すると（Ｓ１０１「Ｙｅｓ」）、制御部３１は、その識別情報ＩＤを承認した場合に、Ｓ１０２以降の印刷ジョブを実行するための処理に移る。
【００３３】
また、ＰＣ４０のユーザーは、ＰＣ４０の入力部４０２を操作して、通常モード又は静音モードを指定するモード設定指示を入力し、送信部４０３が当該モード設定指示を、印刷ジョブの実行及び自己の識別情報ＩＤと共にＰＣ４０から画像形成装置１０に送信する。画像形成装置１０では、当該モード設定指示を通信部２３で受信すると、制御部３１は、通常モード又は静音モードが指示されたと判定し（Ｓ１０２「Ｙｅｓ」）、その指示された通常モード又は静音モードを設定して、上記実行指示に従って印刷ジョブを実行し、画像形成部１２により画像を記録紙に記録させる（Ｓ１０３）。
【００３４】
そして、制御部３１は、印刷ジョブが終了すると（Ｓ１０４）、印刷ジョブの実行に際してＳ１０３で設定された通常モード又は静音モードが上記モード設定指示でユーザーにより指示されたものであることから、通常モード及び静音モードのいずれが設定されたかを、通常モード又は静音モードの重み付け加算値αを予め定められた値Ａ（第１の値）である「２」に設定した上で（Ｓ１０５）、当該ユーザーの履歴情報ＲＤとして、記憶部２８に記憶させる（Ｓ１０６）。
【００３５】
また、制御部３１は、Ｓ１０１で受信したユーザーの識別情報ＩＤに対応する履歴情報ＲＤが記憶部２８に記憶されておらず、該当する履歴情報ＲＤが無ければ、通常モード又は静音モードの重み付け加算値αを予め定められた値Ａである「２」に設定した上で（Ｓ１０５）、当該ユーザーについての新たな履歴情報ＲＤを生成し、この履歴情報ＲＤをユーザーの識別情報ＩＤに対応付けて記憶部２８に記憶させる（Ｓ１０６）。
【００３６】
このように印刷ジョブの実行、通常モード又は静音モードの指示がＰＣ４０から画像形成装置１０へと送信された場合は、その指示された通常モード又は静音モードが設定されて、印刷ジョブが実行される。この後、制御部３１は、図３の処理を一旦終了して、印刷ジョブの実行指示を待機し、印刷ジョブの実効指示があった場合にＳ１０１からの処理を始める。
【００３７】
図４は、履歴情報ＲＤを例示する図である。この履歴情報ＲＤは、複数のユーザーの識別情報ＩＤ別に、最新の印刷ジョブが実行された時点から直近の例えば１０個の印刷ジョブの実行のときに通常モード又は静音モードのいずれが設定されたか、及びそれぞれの重み付け加算値αを記憶してなる。制御部３１は、新たな印刷ジョブが実行されたときには、該新たな印刷ジョブの実行を指示したユーザーの識別情報ＩＤに対応する履歴情報ＲＤから、最も前の印刷ジョブの実行のときに設定された通常モード又は静音モードと重み付け加算値αを消去し、該新たな印刷ジョブの実行のときに設定された通常モード又は静音モードと重み付け加算値αを記憶部２８に記憶させる。
【００３８】
また、制御部３１は、重み付け加算値αを、通常モード又は静音モードが上記モード設定指示によりＰＣ４０から画像形成装置１０へとユーザーから指示されて通常モード又は静音モードを設定したときは、予め定められた値Ａ（例えば「２」。本実施形態では、以下「２」として説明する）に設定する。また、後述するように、制御部３１が、モード設定指示によらず、履歴情報ＲＤに基づいて通常モード又は静音モードを設定する場合は、予め定められた値Ｂ（第２の値）に設定する。ここで、予め定められた値Ｂ＜予め定められた値Ａとされ、予め定められた値Ｂは例えば「１」である。本実施形態では、以下「１」として説明する。
【００３９】
一方、ＰＣ４０のユーザーは、入力部４０２の操作により、通常モード又は静音モードをモード設定指示で指示することなく、印刷ジョブの実行指示及び自己の識別情報ＩＤのみを送信部４０３から画像形成装置１０へと送信させることもできる。この場合、画像形成装置１０では、印刷ジョブの印刷及びユーザーの識別情報ＩＤを通信部２３で受信しながらも（Ｓ１０１「Ｙｅｓ」）、モード設定指示を受信せず、制御部３１は、通常モード又は静音モードが指示されなかったと判定する（Ｓ１０２「Ｎｏ」）。
【００４０】
そして、制御部３１は、当該ユーザーの識別情報ＩＤに対応する履歴情報ＲＤが記憶部２８に記憶されているか否かを判定し（Ｓ１０７）、当該ユーザーの履歴情報ＲＤが記憶されていなければ（Ｓ１０７「Ｎｏ」）、静音モードを設定して（Ｓ１０８）、印刷ジョブを開始し、画像形成部１２により画像を記録紙に記録させる。
【００４１】
また、制御部３１は、当該ユーザーの識別情報ＩＤに対応する履歴情報ＲＤが記憶されていれば（Ｓ１０７「Ｙｅｓ」）、この履歴情報ＲＤに基づき通常モード又は静音モードのいずれかを選択する。例えば、制御部３１は、その履歴情報ＲＤにおける通常モード及び静音モード別に、重み付け加算値αの合計値を算出する。制御部３１は、通常モードの重み付け加算値αの合計値と、静音モードの重み付け加算値αの合計値とを比較して、重み付け加算値αの合計値が大きい方の通常モード又は静音モードを選択する（なお、同値の場合は、予め定めておいた方のモードとする。）。
【００４２】
ここで、制御部３１は、通常モードを選択した場合（Ｓ１０９「Ｙｅｓ」）、通常モードを設定して印刷ジョブを開始し、画像形成部１２により画像を記録紙に形成させる（Ｓ１１１）。
【００４３】
また、制御部３１は、静音モードを選択した場合は（Ｓ１０９「Ｎｏ」）、更に、今回の印刷ジョブの実行により画像が形成される記録紙の枚数Ｎ１と、この時点で実行待ちとなっている他の印刷ジョブの実行により画像が形成される記録紙の枚数Ｎ２とを算出し、今回の印刷ジョブを含めてこの時点で上記指示入力部に入力されている全ての印刷ジョブに従って画像形成部１２により画像が形成される記録紙の合計枚数Ｎ（＝Ｎ１＋Ｎ２）を算出する。そして、制御部３１は、算出した当該合計枚数Ｎが予め設定された一定枚数Ｎth（例えば、１００枚）を超えるか否かを判定する（Ｓ１１０）。
【００４４】
制御部３１は、記録紙の合計枚数Ｎが一定枚数Ｎthを超えないと判定したときは（Ｓ１１０「Ｎｏ」）、静音モードを設定して、印刷ジョブを開始し、画像形成部１２により画像を記録紙に形成させる（Ｓ１０８）。すなわち、印刷ジョブの実行により画像が形成される記録紙の合計枚数Ｎが比較的少ない場合は、全ての印刷ジョブの実行に必要な時間が比較的短いため、画像形成時間が長くても静かな静音モードがそのまま設定される。
【００４５】
また、制御部３１は、記録紙の合計枚数Ｎが一定枚数Ｎthを超えると判定すると（Ｓ１１０「Ｙｅｓ」）、Ｓ１０９で選択した静音モードを通常モードに変更して、通常モードを設定して印刷ジョブを開始し、画像形成部１２により画像を記録紙に記録させる（Ｓ１１１）。すなわち、全ての印刷ジョブの実行により画像が記録される記録紙の合計枚数Ｎが比較的多い場合は、静音モードでは印刷ジョブの実行に費やされる時間が長くなるため、画像形成速度が速い通常モードが設定される。
【００４６】
従って、モード設定指示がＰＣ４０から画像形成装置１０に送信されなかった場合は、ユーザーの識別情報ＩＤに対応する履歴情報ＲＤがあり、かつ履歴情報ＲＤに基づき通常モードが選択され、また、印刷ジョブの実行により画像が記録される記録紙の合計枚数Ｎが一定枚数Ｎthを超えるときにも通常モードが設定されて印刷ジョブが開始され、それ以外のときには、静音モードが設定されて、印刷ジョブが開始され、画像形成装置１０の動作音が小さく抑えられる。
【００４７】
更に、Ｓ１０８で静音モードが設定されて印刷ジョブが開始されるか、又はＳ１１１で通常モードが設定されて印刷ジョブが開始された後、制御部３１は、人感センサー２６による人の検出を待機している（Ｓ１１２）。
【００４８】
このとき、制御部３１は、人感センサー２６により人が検出されることなく（Ｓ１１２「Ｎｏ」）、印刷ジョブが終了すると（Ｓ１０４）、Ｓ１０１で受信したユーザーの識別情報ＩＤに対応する履歴情報ＲＤを記憶部２８から読み出し、Ｓ１１１で設定された通常モード又はＳ１０８で設定された静音モードがユーザーにより指示されたものではないことから、通常モード又は静音モードの重み付け加算値αを予め定められた値Ｂである「１」に設定して（Ｓ１０５）、その読み出した履歴情報ＲＤに対して通常モード又は静音モードとその重み付け加算値αを記録し、この履歴情報ＲＤを更新する（Ｓ１０６）。
【００４９】
一方、制御部３１は、人感センサー２６により人が検出された場合（Ｓ１１２「Ｙｅｓ」）、印刷ジョブが静音モードで実行されているか否かを判定し（Ｓ１１３）、印刷ジョブが静音モードで実行されていないとき（Ｓ１１３「Ｎｏ」）、すなわち、印刷ジョブがＳ１１１で設定された通常モードで実行されているならば当該通常モードを維持して画像形成動作を続けさせる。そして、制御部３１は、印刷ジョブが終了したときに（Ｓ１０４）、Ｓ１０１で受信したユーザーの識別情報ＩＤに対応する履歴情報ＲＤを記憶部２８から読み出し、Ｓ１１１で設定された通常モードがユーザーにより指示されたものではないことから、通常モードの重み付け加算値αを予め定められた値Ｂである「１」に設定して（Ｓ１０５）、その読み出した履歴情報ＲＤに対して通常モードとその重み付け加算値αを記録し、この履歴情報ＲＤを更新する（Ｓ１０６）。
【００５０】
また、印刷ジョブがＳ１０８で設定された静音モードで実行されているならば（Ｓ１１３「Ｙｅｓ」）、上記のＳ１１０と同様に、今回の印刷ジョブの実行により画像が形成される記録紙の枚数Ｎ１と、この時点で実行待ちとなっている他の印刷ジョブの実行により画像が形成される記録紙の枚数Ｎ２の合計枚数Ｎが一定枚数Ｎthを超えるか否かを判定する（Ｓ１１４）。
【００５１】
制御部３１は、記録紙の合計枚数Ｎが一定枚数Ｎthを超えないと判定すると（Ｓ１１４「Ｎｏ」）、静音モードを維持し、印刷ジョブが終了すると（Ｓ１０４）、Ｓ１０１で受信したユーザーの識別情報ＩＤに対応する履歴情報ＲＤを記憶部２８から読み出し、Ｓ１０８で設定された静音モードがユーザーにより指示されたものではないことから、静音モードの重み付け加算値αを小さな値「１」に設定して（Ｓ１０５）、その読み出した履歴情報ＲＤに対して静音モードとその重み付け加算値αを記録し、この履歴情報ＲＤを更新する（Ｓ１０６）。
【００５２】
また、制御部３１は、記録紙の合計枚数Ｎが一定枚数Ｎthを超えると判定すると（Ｓ１１４「Ｙｅｓ」）、静音モードを通常モードに切り替えて印刷ジョブを続行させる（Ｓ１１５）。制御部３１は、印刷ジョブが終了すると（Ｓ１０４）、Ｓ１０１で受信したユーザーの識別情報ＩＤに対応する履歴情報ＲＤを記憶部２８から読み出し、当該通常モードがユーザーにより指示されたものではないことから、通常モードの重み付け加算値αを小さな値「１」に設定して（Ｓ１０５）、その読み出した履歴情報ＲＤに対して通常モードとその重み付け加算値αを記録し、この履歴情報ＲＤを更新する（Ｓ１０６）。
【００５３】
つまり、Ｓ１１０の処理時点では、記録紙の合計枚数Ｎが一定枚数Ｎthを超えていないが、Ｓ１１４の処理時点で、記録紙の合計枚数Ｎが一定枚数Ｎthを超えるに至っている場合には、制御部３１が、静音モードを通常モードに変更して、印刷ジョブを実行し、それ以外のときには静音モードが維持して印刷ジョブを実行する。また、Ｓ１１１で通常モードが設定された場合は、人感センサー２６による人の検出に拘わらず、通常モードが維持されて、印刷ジョブが実行される。
【００５４】
このように本実施形態では、印刷ジョブが実行されたときの通常モード又は静音モードを履歴情報として記憶しておき、新たな印刷ジョブの実行に際し、通常モード又は静音モードがユーザーにより指示されなければ、その履歴情報、印刷ジョブの実行により画像が形成される記録紙の合計枚数Ｎ、及び人感センサー２６による人の検出などに基づき、通常モード又は静音モードのいずれかを選択して設定しているので、履歴情報に基づき、通常モード又は静音モードのいずれかが好みかというユーザーの嗜好を反映した上で通常モード又は静音モードを選択して、画像形成装置１０の動作音を調節することができる。
【００５５】
なお、上記実施形態では、Ｓ１０８で静音モードが設定されて印刷ジョブが開始されるか、又はＳ１１１で通常モードが設定されて印刷ジョブが開始された後、Ｓ１１４において印刷ジョブの実行により画像が記録される記録紙の合計枚数Ｎが一定枚数Nthを超えるか否かを判定しているが、このＳ１１４を省略しても構わない。また、一定枚数Nthは、変更もしくは調整可能な任意の枚数である。すなわち、制御部３１は、Ｓ１０８で静音モードが設定されている場合に、人感センサー２６により人が検出されると（Ｓ１１２「Ｙｅｓ」）、静音モードを通常モードに切り替えて印刷ジョブを続行させる（Ｓ１１５）。人が画像形成装置１０に近付いた場合は、この人が画像形成装置１０を操作して更に画像形成動作を行わせる可能性が高いため、溜まっている印刷ジョブを迅速に完了させるため等の理由からである。
【００５６】
また、制御部３１は、Ｓ１０８で静音モードが設定されて印刷ジョブが開始された後、ユーザーによる操作部２４の操作で通常モードへの切替えが指示されたときは、静音モードを通常モードに切り替えるようにしてもよい。この場合は、通常モードがユーザーにより指示されたものであるため、制御部３１は、通常モードの重み付け加算値αを大きな値「２」に設定して、この履歴情報ＲＤを更新する。
【００５７】
また、制御部３１は、通常モード及び静音モードの重み付け加算値を設定せず、通常モードの設定回数及び静音モードの設定回数のみを履歴情報に記録して、直近の設定回数が多い方の通常モード又は静音モードを選択して設定してもよい。
【００５８】
また、印刷ジョブの実行、通常モード又は静音モードの指示、及びユーザーの識別情報ＩＤをＰＣ４０から画像形成装置１０に送信しているが、ユーザーが画像形成装置１０の操作部２４を操作して、印刷ジョブの実行、通常モード又は静音モードの指示、及びユーザーの識別情報ＩＤを入力し、制御部３１が当該入力内容を受け付けるようにしてもよい。
【００５９】
また、ユーザーの識別情報ＩＤの入力に代えて、カードリーダーによりユーザーのＩＤカードから該ユーザー識別情報ＩＤを読取らせて入力しても構わない。あるいは、顔認証、指紋認証、音声認証などを用いて、ユーザーを識別して、該ユーザーに対応する識別情報ＩＤを得るようにしてもよい。
【００６０】
また、図１乃至図４を用いて説明した上記実施形態の構成及び処理は、本発明の一例に過ぎず、本発明を当該構成及び処理に限定する趣旨ではない。
【符号の説明】
【００６１】
１０      画像形成装置
１１      画像読取部
１２      画像形成部
２１      制御ユニット
２２      表示部
２３      通信部
２４      操作部
２５      タッチパネル
２６      人感センサー
２８      記憶部
３１      制御部
４０      パーソナルコンピューター
【図１】
2020034865.tif 000003
【図２】
2020034865.tif 000004
【図３】
2020034865.tif 000005
【図４】
2020034865.tif 000006